(57)【特許請求の範囲】
【請求項１】
ラベルを貼付すべき採血管を採血管の種類別に収容可能な少なくとも２つの採血管収容部と、
ラベルに被験者に関する情報を印字し、印字済みのラベルを採血管に貼付するラベル印字・貼付手段と、
ラベル貼付後の採血管を患者別に収容可能な採血管回収部と、
患者の検査に必要な採血管を対応する採血管収容部から受け取り、該採血管をラベル印字・貼付手段及び採血管回収部に移送する採血管移送手段と
患者の検査に必要な採血管を選択的に取り出し、取り出した採血管に、その患者に対応する情報を印字したラベルを貼り付け、さらに、ラベル貼り付け後の採血管を患者別に収容するよう前記各部を制御する制御手段と
を備えた採血管用ラベル自動貼付装置であって、
前記各採血管収容部を鉛直方向に伸びるように縦長に構成すると共に全ての採血管収容部を横方向に並べて立設し、
前記各採血管収容部に採血管を一本づつ横にして収容できるように構成された複数の区画を周方向に設け、採血管を採血管収容部の前方から各区画に挿入することができるように構成して、採血管収容部に収容されている採血管を装置の前方から見ることができるようにすると共に、
各採血管収容部の下部に、前記区画内に収容された採血管を排出可能な開放部を設け、
前記各採血管収容部を、その各区画が周方向に回転駆動するように構成し、
前記区画を一定量周方向に駆動させることにより、前記開放部に対応する区画に収容された採血管が、開放部から落下するようにし、
前記採血管移送手段の少なくとも一部を前記立設された採血管収容部における採血管の落下位置より下方に、これら採血管収容部に沿って配置して、落下した採血管を受け取って移送するように構成した
ことを特徴とする採血管準備装置。
【請求項２】
前記各採血管収容部の採血管補充口を装置の前面に露出するように設け、各採血管収容部の各区画を、採血管のキャップが装置の前方を向くように収納可能に構成した
ことを特徴とする請求項１に記載の採血管準備装置。
【請求項３】
採血管収容部の下方に、採血管移送手段及びラベル印字・貼付手段を配置すると共に、採血管回収部をラベル印字・貼付手段の下方に配置した
ことを特徴とする請求項１又は２に記載の採血管準備装置。
【請求項４】
各採血管収容部の内側部分に、採血管を縦にして収容可能な目印用採血管収容部を設けた
ことを特徴とする請求項１〜３の何れか一項に記載の採血管準備装置。
【請求項５】
前記各部を適当なハウジング内に収容すると共に、
前記ラベル印字・貼付手段を、そのラベル印字貼付位置の少なくとも台紙から剥離されるラベルの進行方向に面する側面が開放されるように構成し、
前記ハウジングにおけるラベル印字貼付位置の開放された側面に対応する部分にラベル取出用開口を設け、
ラベル貼付位置に採血管がない時に、印字済みのラベルを剥離した状態で前記ラベル取出用開口から排出するようにした
ことを特徴とする請求項１〜４の何れか一項に記載の採血管準備装置。
【発明の詳細な説明】
【０００１】
【発明の属する技術分野】
本発明は、予め複数種類の採血管が収容された採血管収容部から患者の検査に必要な採血管を自動的に選択し、選択した採血管に対応する患者に関する情報を印字したラベルを貼り付け、ラベル貼付後の採血管を患者別に収容する採血管準備装置の改良に関する。
【０００２】
【従来の技術】
血液検査を行う場合、一人の患者に対して複数項目の検査を行うことが多い。このため、病院等では、検査項目別に使用する採血管の種類を変えると共に、各採血管に患者の氏名等を記入したラベルを貼りつけることにより、検査時に各採血管に対応する検査の種類及び患者を識別することができるようにしている。
しかし、上記したように採血管毎に患者の氏名等をラベルに記入し、それを貼りつける作業は煩雑で手間がかかり、また、この作業を人間が行うと、ラベルを貼りつけるべき採血管の種類を間違える等の重大なミスが発生する可能性もある。
これを解決するために、出願人は、少なくとも２種類の採血管を検査項目別に第１収容部しておき、患者の検査に必要な採血管を前記第１収容部から選択して取り出すと共に、取り出した採血管に対応する患者に関する情報をラベルに印字し、取り出した採血管に同ラベルを貼り付け、さらに、ラベル貼付後の採血管を患者別に収容することができる採血管準備装置を発明した（特許第２８３４５９５号）。
出願人の発明後、出願人又は第三者により上記した種類の採血管準備装置は様々な改良がなされ、それらが提案されている。
【０００３】
【発明が解決しようとする課題】
上記した従来の採血管準備装置は、その殆どが、ラベル貼付前の採血管を検査項目別に収容する収容部が複数の採血管を横にして直接積み重ねておくように構成され、この直接積み重ねられた採血管のかたまりから必要に応じて一本づつ採血管を取り出すように構成されている。
しかし、直接積み重ねられた採血管のかたまりから一本づつ採血管を取り出すのは容易なことではなく、このため、どの装置も、ラベル貼付前の採血管を取り出すためだけに複雑な構成の取り出し機構を設ける必要があり、この採血管取り出し機構のために、装置が大型化したり、装置の製造が煩雑になり価格が上がってしまうという問題があり、また、この採血管取り出し機構が故障の原因に繋がる等の問題もあった。
本発明は、上記した従来の問題点を解決し、採血管を取り出すためだけの複雑な構成の採血管取り出し機構を設ける必要がない採血管準備装置を提供することを目的としている。
【０００４】
【課題を解決するための手段】
上記した目的を達成するために、本発明に係る採血管準備装置は、ラベルを貼付すべき採血管を採血管の種類別に収容可能な少なくとも２つの採血管収容部と、ラベルに被験者に関する情報を印字し、印字済みのラベルを採血管に貼付するラベル印字・貼付手段と、ラベル貼付後の採血管を患者別に収容可能な採血管回収部と、患者の検査に必要な採血管を対応する採血管収容部から受け取り、該採血管をラベル印字・貼付手段及び採血管回収部に移送する採血管移送手段と患者の検査に必要な採血管を選択的に取り出し、取り出した採血管に、その患者に対応する情報を印字したラベルを貼り付け、さらに、ラベル貼り付け後の採血管を患者別に収容するよう前記各部を制御する制御手段とを備えた採血管用ラベル自動貼付装置であって、前記各採血管収容部を鉛直方向に伸びるように縦長に構成すると共に全ての採血管収容部を横方向に並べて立設し、前記各採血管収容部に採血管を一本づつ横にして収容できるように構成された複数の区画を周方向に設け、採血管を採血管収容部の前方から各区画に挿入することができるように構成して、採血管収容部に収容されている採血管を装置の前方から見ることができるようにすると共に、各採血管収容部の下部に、前記区画内に収容された採血管を排出可能な開放部を設け、前記各採血管収容部を、その各区画が周方向に回転駆動するように構成し、前記区画を一定量周方向に駆動させることにより、前記開放部に対応する区画に収容された採血管が、開放部から落下するようにし、前記採血管移送手段の少なくとも一部を前記立設された採血管収容部における採血管の落下位置より下方に、これら採血管収容部に沿って配置して、落下した採血管を受け取って移送するように構成したことを特徴とするものである。
【０００５】
【発明の実施の形態】
以下、添付図面に示した一実施例を参照して本発明に係る採血管準備装置の実施の形態について説明する。
【０００６】
図１は、本発明に係る採血管準備装置の概略斜視図を、図２は図１における右側から装置の内部構造を見た概略側面図、図３は図２における概略Ａ−Ａ断面図、図４は、図１における前方から装置の内部構造をみた概略正面図、図５は、図１における下方から装置の内部構造をみた概略底面図を各々示している。
図面に示すように、この採血管準備装置は、
そのハウジング１の内部に、
鉛直方向に伸びる４列の採血管収容部１０ａ〜１０ｄと、
これらの採血管収容部１０の下方に配置された採血管移送手段２０と、
前記採血管収容部１０の下側前方に配置されたラベル印字・貼付手段３０と、
ラベル印字・貼付手段３０の下方に配置された採血管回収部４０と
を備えている。
【０００７】
各採血管収容部１０は、下方が開放した外周壁１９の内側に、上下に配置されたベルト回転軸１１及び１２間に無端ベルト１３を巻回した駆動部を配置してなり、下側のベルト回転軸１１を、従動ギヤ１４及び駆動ギヤ１５を介して供給部モータ１６で回転させることにより、無端ベルト１３が回転駆動するように構成されている。前記無端ベルト１３の外周面にはベルト１３の外周面と直交する方向に外方に伸びる複数の仕切板１７が一定の間隔で一体に設けられ、二つの仕切板１７、１７と外周壁１９とで囲まれた各空間で、１本の採血管を収容できる区画１８を形成するように構成されている。
上記したように構成された各採血管収容部１０は、不図示の制御手段により供給部モータ１６回転させることにより、その無端ベルト１３が図３における右回りに回転し、無端ベルト１３が下側のベルト回転軸１１の周りを通過する時に、外周壁１９の開放された部分から仕切板１７で支持されている採血管を下方の採血管移送手段２０に落とす。
尚、図２における符号Ｓ１は各採血管収容部１０ａ〜１０ｄに設けられた管検出センサーを示しており、この管検出センサーＳ１は、各採血管収容部１０ａ〜１０ｄにおける採血管が落下する直前の場所に位置する区画１８に採血管があるか否かを検出する。各採血管収容部１０ａ〜１０ｄにおける無端ベルト１３は、各管検出センサーＳ１で採血管を検出するまで回転駆動するように制御される。これにより、各採血管収容部１０ａ〜１０ｄは、全ての区画１８に採血管が収容されていない場合でも、常に、採血管が落下する直前の場所に位置する区画１８に採血管を待機させておくことができるようになり、必要に応じて、一区画分無端ベルト１３を回転駆動させるだけで採血管を排出できるようになる。
【０００８】
採血管移送手段２０は、前記４列の採血管収容部１０の下方に、採血管収容部１０に沿って水平に配置された一本の無端ベルト２１を備えている。この無端ベルト２１は、左右に配置されたベルト回転軸２２及び２３の間に巻回され、右側のベルト回転軸２２を、伝導ベルト（符号なし）を介して管搬送モータ２４で回転させることにより図３における右回りに回転するように構成されている。
そして、無端ベルト２１の外周面には、外周面と直交する方向に外方に伸びる複数の仕切板２５が一定の間隔で一体に設けられており、各仕切板２５，２５間で１本の採血管を受け取ることができるように構成されている。
また、採血管移送手段２０は、図３における無端ベルト２１の右側下方に、無端ベルト２１と直交する方向に前方に伸びる管移送ガイド２６を備えている。
前記管移送ガイド２６には、管移送板２７が設けられている。この管移送板２７は、管移送ガイドレール２８に沿って管移送モータ２９によって管移送ガイド２６内を前後に移動できるように構成されており、この管移送ガイド２６に入れられた採血管は、その前方にある印字・貼付手段３０における待機位置Ｘ１まで前記管移送板２７によって押し出されるように構成されている。
上記したように構成された採血管移送手段２０は、採血管収容部１０から落とされた採血管を、対応する仕切板２５、２５間で受け取った後、その無端ベルト２１を管搬送モータ２４により図３における右回りに回転し、無端ベルト２１が右側のベルト回転軸２２の周りを通過する時に、仕切板２５、２５間で支持されている採血管を下方の管移送ガイド２６に落とす。
管移送ガイド２６に採血管が落とされた後、管移送モータ２９により管移送板２７を前方に移動して、採血管を前方に位置する待機位置Ｘ１まで押し出し、その後、管移送板２７を最後方まで戻し、次の採血管が落とされるまで待機する。
尚、図２における符号Ｓ２は前記無端ベルト２１の右端に設けられた管検出センサーを示しており、この管検出センサーＳ２は、採血管が管移送ガイド２６に落下する直前の位置に採血管があるか否かを検出する。前記無端ベルト２１は、採血管収容部からの採血管を受け取ると、各管検出センサーＳ２で採血管を検出するまで回転駆動し、その位置で採血管を待機させ、所定のタイミングで管移送ガイド２６に採血管を落とすように制御される。これにより、複数の採血管を連続して処理する場合、先の採血管を処理している間に、無端コンベア２１が、管移送ガイド２６に採血管を落下させる直前の位置まで次の試験管を移送して待機させておくことができ処理効率が向上する。
【０００９】
ラベル印字・貼付手段３０は、プラテンローラ３１及びこのローラ３１と同期して駆動する駆動ローラ３２ａ及び３２ｂの回転によりラベル付き台紙ロール３３からラベル付き台紙を繰り出し、繰り出された台紙上のラベルに、不図示の制御手段から送られてくる情報に基づいて、ラベルを貼りつけるべき採血管に対応する患者に関する情報を印字ヘッド３４で印字し、この印字済みのラベルを台紙の進行方向を鋭角的に曲げる剥離板３５によって剥離し、剥離板３５の先端付近に位置するラベル貼付位置Ｘ２で回転待機する採血管にラベルを貼り付ける。
【００１０】
前記ラベル貼付位置Ｘ２には、その上方に前記ラベル印字・貼付手段３０の一部を構成する貼付ローラ３６が配置され、その下方に前記ラベル印字・貼付手段３０及び前記採血管移送手段２０の双方の一部を構成する採血管押え兼採血管排出手段３７が配置されている。
採血管押え兼採血管排出手段３７は、
ラベル貼付位置Ｘ２にて採血管を支持する固定ローラ３７ａ、
待機位置Ｘ１にて採血管を支持する待機台３７ｂ、
待機位置Ｘ１に到着した採血管を上方のラベル貼付位置Ｘ２まで押し上げ、ラベル貼付位置Ｘ２にて採血管を貼付ローラ３６側に加圧する加圧ローラ３７ｃを備えた加圧台３７ｄ、及び
前記加圧ローラ３７ｃを、待機位置Ｘ１、ラベル貼付位置Ｘ２、採血管排出位置Ｘ３、及びラベル排出位置Ｘ４の間で移動可能にするためのガイドレール３７ｅ
を備えている。
尚、図２中、符号Ｓ３は管到着センサーを示しており、この管到着センサーＳ３は、管移送ガイド２６の延長線上に配置され、採血管が管移送板２７により待機位置Ｘ１まで押し出された時に、採血管の頭部がこのセンサーＳ２に接触するように構成されている。前記採血管押え兼採血管排出手段３７における加圧ローラ３７ｃは、この管到着センサーＳ２により採血管が待機位置Ｘ１に到着したことを検出して、採血管をラベル貼付位置Ｘ２に押し上げる。
【００１１】
採血管回収部４０は、その内部にトレイＴを設置できるように構成されており、設置されたトレイＴで前記採血管排出口２７ａから落とされたラベル貼付後の採血管を受け取るように構成されている。
【００１２】
最後に、上記した各手段を収容するハウジング１の構成について説明すると、採血管収容部１の前面に対応する部分には、透明で開閉可能な供給部前面カバー２が設けられており、使用時に収容されている採血管の種類が一目で確認できるように構成されている。
ここで、採血管について簡単に説明すると、近年、採血に用いられる採血管としては真空採血管が用いられる場合が多く、この真空採血管は、その内部の負圧を維持するために、予め内部に反応液等を入れた状態で密封されている。このため、真空採血管は、何の検査に用いられる真空採血管であるかを識別できるように種類別にキャップの色が変えられている。従って、採血管収容部１０を、真空採血管のキャップが前方に向くように収容できるように構成しておき、その前面に透明な扉２を設けることにより、外部から採血管のキャップの色を見ることができるようになるので、使用者は使用中に、どの採血管収容部に何の採血管が収容されているのかを一目で確認することができるようになる他、種類の異なる採血管の混入もチェックすることができるようになり、また、採血管の残量も一目で確認できるようになる。
さらに、このように採血管収容部を、一本づつ採血管が挿入できるように区画すると共に、その採血管補充口を装置前面に露出するように設けることにより、装置の駆動中であっても採血管の補充を行うことが可能になるという効果を奏する。
また、ハウジング１の図１における右側面における前記ラベル貼付位置Ｘ２に対応する部分には、前記ラベル貼付位置Ｘ２に隣接する位置まで凹む凹部３が形成されており、この凹部３のラベル貼付位置Ｘ２に対応する部分にはラベル取出用の開口４が設けられている（図４及び図６〜図９参照）。
ここで、ラベル印字・貼付手段３０におけるラベル貼付位置Ｘ２付近の構成について再度説明すると、図４に示すように、ラベル印字・貼付手段３０の殆どの構成部材３１〜３５はラベル貼付位置Ｘ２の左側に配置されており、そして、貼付ローラ３６はラベル貼付位置Ｘ２の上方、かつ、採血管押え兼採血管排出手段３７はラベル貼付位置Ｘ２の下方に配置されている。このように、ラベル貼付位置Ｘ２は、その右側、即ち、台紙から剥離されたラベルの進行方向の軌道上には何の障害物もなく開放されており、この開放部分に面する位置に前記ラベル取出用の開口４が設けられている。そして、ラベル印字・貼付手段３０は、必要に応じて採血管がラベル貼付位置Ｘ２にない時でも駆動できるように構成され、かつ、ラベルが剥離された時に、ラベルの粘着面に位置する加圧ローラ３７ｃは、その表面にラベルの糊がくっつかないように非粘着性材料（例えば、テフロン）で構成されるか、又は、複数の溝が形成されている。
これにより、例えば、採血管収容部１０に収容されていない種類の採血管を用いる場合には、ラベル貼付位置Ｘ２に採血管がない状態でラベル印字・貼付手段３０を駆動させると、患者に必要な情報を印字したラベルを剥離した状態で前記ラベル取出用の開口４から取り出せるようになる。
【００１３】
次に、上記したように構成された採血管準備装置の作用について説明していく。
まず始めに、使用者は各採血管収容部１０ａ〜１０ｄに、予め決められた所定の種類の採血管を、それぞれセットする。尚、採血管収容部１０は、少なくとも、各採血管収容部１０ａ〜１０ｄ単位で同一種類の採血管が収容され、各採血管収容部１０ａ〜１０ｄが収容している採血管の種類は制御装置に予め（又は採血管をセットする度）に設定される。
ここで、採血管収容部１０に採血管をセットする方法について簡単に説明しておくと、使用者は供給部前面カバー２を開いて、各採血管収容部１０ａ〜１０ｄにおける仕切板１４、１４間、即ち、区画１８の空所に、所定の種類の採血管を、そのキャップが装置前方（即ち、供給部前面カバー２側）を向くように一本づつ挿入することで採血管はセットされる。尚、採血管収容部１０ａ〜１０ｄにどの種類の採血管が収容されているかは、例えば、コンピュータ等で構成される制御手段側で設定するように構成され得るが、採血管準備装置側に操作パネルを設けておき、この操作パネルを介して収容する採血管の種類の変更情報を制御装置側に送るように構成してもよく、また、各採血管収容部１０ａ〜１０ｄに、使用する頻度の高い採血管の種類に応じたボタンを設けておき、収容する採血管の種類を変更する場合には、変更後の種類に対応するボタンを押すことで、制御手段側に種類の変更情報を送るように構成してもよい。
また、上記したように、各採血管収容部に採血管を、そのキャップが装置前方を向くように挿入することで、装置の外部から収容されている採血管のキャップが一目で判るが、各採血管収容部１０ａ〜１０ｄにおける無端ベルト１３の内側部分は空所になっているため、ここに、目印用の採血管を縦にして収容できる目印用採血管収容部５０（図４に一点差線で示す）を設け、これにより、各採血管収容部に収容されている採血管の種類をより一層、使用者に見易くするように構成され得る。
装置の作用の説明に戻ると、該採血管準備装置は、ラベルに印字すべき患者に関する情報と、患者の検査に必要な採血管の種類の情報とを受け取り、その情報に基づいて、必要な採血管の種類に対応する採血管収容部１０（ａ〜ｄ）を回転駆動させ、採血管を一つ採血管移送手段２０の無端ベルト２１に落とす。
採血管移送手段２０は、採血管収容部１０から落とされた採血管を、その無端ベルト２１の仕切板２５，２５間で受け取ると、右周りに回転駆動され、受け取った採血管を、その管移送ガイド２６に落とす。
管移送ガイド２６に採血管が落とされると、管移送板２７が採血管を前方にある待機位置Ｘ１まで押し出す。採血管が待機位置Ｘ１まで押し出された状態を図６に示す。
採血管が待機位置Ｘ１まで押し出されると、加圧ローラ３７ｃは採血管を図７に示すラベル貼付位置Ｘ２まで押し上げ、このラベル貼付位置Ｘ２で採血管は、貼付ローラ３６、固定ローラ３７ａ及び加圧ローラ３７ｃによって３点で支持され、貼付ローラ３６によって回転されながら待機する。
回転しながら待機している採血管に、患者に関する情報が印字されたラベルが剥離板３５で剥離された状態で臨み、該ラベルが前記貼付ローラ３６によって採血管の周囲に貼り付けられる。
採血管へのラベルの貼付が終了すると、加圧ローラ３７ｃは採血管を支持しながら下方へ下がり、加圧ローラ３７ｃが、採血管排出位置Ｘ３まで下がると、ラベル貼付後の採血管は採血管回収部４０に配置されたトレイＴ内に落ちる（図８参照）。
また、採血管収容部１０に収容されていない種類の採血管に対してラベルの貼付けが必要な場合には、ラベル印字・貼付手段３０は、ラベル貼付位置Ｘ２に採血管がない状態で作動する。具体的に説明すると、この場合、図９に示すように、加圧ローラ３７ｃがラベル排出位置Ｘ４まで上がり、印字済のラベルは、貼付ローラ３６と加圧ローラ３７ｃとにより、ラベル取出用開口４側に送られ排出される。
上記した処理は、患者一人分に対して連続して行われ、患者一人分の全ての採血管に対するラベルの貼付け、及びラベルの排出が終了すると停止する。
尚、採血管収容部、移送手段並びにラベル印字・貼付手段の駆動タイミングは、処理中に採血管同士がぶつからないように、また、複数の患者の採血管を連続して処理する時に、別の患者の採血管が一つのトレイＴ内に入ってしまわないように任意に設定することができる。具体的には、例えば、移送手段２０における無端ベルト２１から管移送ガイド２６に採血管が落とされた後に、採血管収容部１０を駆動させて次の採血管を前記無端ベルト２１に落とし、無端ベルト２１は受け取った採血管を無端ベルトの右端まで移送した状態で待機しておき、その管移送板２６が前の採血管を押しだして、最後方位置まで戻ってきた後に採血管を管移送ガイド２６に落とすようなタイミングで駆動され得る。また、複数の患者の採血管を連続して処理している時には、一人の患者の採血管の処理が全て完了した後は、トレイＴの入れ替えが行われるまで、次の患者の採血管を、採血管収容部、移送手段、又はラベル印字・貼付手段の何れかで待機させるように構成され得る。
【００１４】
以上説明した実施例では、採血管回収部４０を、一つのトレイＴが設置できるように構成し、トレイＴの交換は人手により行うようにしているが、このトレイ回収部の構成は本実施例に限定されるものではなく、例えば、複数の空トレイＴを積み重ねて又は並べて収容可能な空トレイ収容部と、ラベル貼付後の採血管を収容したトレイＴを複数重ねて又は並べて収容可能な採血管収容済みトレイ収容部と、トレイＴを、前記空トレイ収容部から、ラベル貼付済みの採血管を回収する採血管回収位置を通って採血管収容済みトレイ収容部まで移送可能なトレイ移送手段を別途設けて、トレイＴに患者一人分の採血管を収容したら、収容済みのトレイＴを採血管収容済みトレイ収容部に移送すると共に、空トレイ収容部から空のトレイＴを採血管回収位置まで移送するように構成してもよい。
また、本実施例では、採血管収容部４０にトレイＴを設置して、トレイＴに採血管を回収するように構成しているが、このトレイ回収部４０の構成は本実施例に限定されることなく、例えば、袋等に採血管を回収するように構成してもよい。
さらに、本実施例では、各採血管収容部１０を、上下のベルト回転軸１１及び１２に巻回された無端ベルト１３に、複数の仕切板１７を設けて、仕切板１７間で採血管を収容する区画１８を形成するように構成しているが、この採血管収容部１０の構成は本実施例に限定されることなく、例えば、所定の厚みを持った円板の外周に複数の切欠を形成し、これらの切欠を採血管を収容する区画として用いるように構成してもよい。
さらに、本実施例では、各採血管収容部１０を鉛直方向に伸びるように縦長に収容すると共に、全ての採血管収容部１０を図３又は図４における横方向に並ぶように立設するように配置しているが、この採血管収容部１０の配置は本実施例に限定されることなく、例えば、図３又は図４における前後方向に並ぶように配置してもよいことは勿論である。
さらにまた、本実施例では、４つの採血管収容部１０を設け、最大４種類の採血管を採血管収容部１０に収容できるように構成しているが、この採血管収容部１０の数は本実施例に限定されることなく任意に設定することができる。
また、本実施例では、採血管収容部１０の下側前方にラベル印字・貼付け手段３０を配置し、ラベル印字・貼付手段３０の下方に採血管回収部４０を配置しているが、この配置は本実施例に限定されることなく、例えば、採血管収容部１０の真下にラベル印字・貼付手段３０を配置し、さらに、ラベル印字・貼付手段３０の真下に採血管回収部４０を配置するように構成してよい。このように構成することで、採血管収容部１０、ラベル印字・貼付手段３０及び採血管回収部４０が全て上下に並ぶことになるので、装置全体の前後方向の幅を短くすることができ設置スペースをより小さくすることができるという効果を奏し、さらに、採血管の移送距離を非常に短くすることができ、採血管移送手段２０の構成も簡単にすることができるようになるので、処理速度が向上するのは勿論のこと、移送中に生じる採血管の引っかかり等の問題も低減させることができるようになるという効果を奏する。
【００１５】
【発明の効果】
以上説明したように、本発明に係る採血管準備装置は、前記各採血管収容部を鉛直方向に伸びるように縦長に構成すると共に全ての採血管収容部を横方向に並べて立設し、前記各採血管収容部に採血管を一本づつ横にして収容できるように構成された複数の区画を周方向に設け、採血管を採血管収容部の前方から各区画に挿入することができるように構成して、採血管収容部に収容されている採血管を装置の前方から見ることができるようにすると共に、各採血管収容部の下部に、前記区画内に収容された採血管を排出可能な開放部を設け、前記各採血管収容部を、その各区画が周方向に回転駆動するように構成し、前記区画を一定量周方向に駆動させることにより、前記開放部に対応する区画に収容された採血管が、開放部から落下するようにし、前記採血管移送手段の少なくとも一部を前記立設された採血管収容部における採血管の落下位置より下方に、これら採血管収容部に沿って配置して、落下した採血管を受け取って移送するように構成しているので、採血管を採血管収容部から取り出すため複雑な採血管取り出し機構を設ける必要がなくなり、装置の構造が簡単になり、かつ、装置を小型化することが可能になるという効果を奏する。
特に、請求項１に係る発明は、前記各採血管収容部を鉛直方向に伸びるように縦長に構成すると共に全ての採血管収容部を横方向に並べて立設し、前記採血管移送手段の少なくとも一部を前記立設された採血管収容部の下方に、これら採血管収容部に沿って配置することにより、採血管移送手段を小型化することができるという効果を奏する。
さらに、前記各採血管収容部の採血管補充口を装置の前面に露出するように設け、各採血管収容部の各区画を、採血管のキャップが装置の前方を向くように収納可能に構成することにより、採血管収容部内の採血管の残量及び種類が装置の動作中であっても一目で確認できるようになるという効果を奏し、これにより、採血管収容部内に異なる種類の採血管が混入していないか否かも確認できるようになるという効果を併せて奏する。
また、採血管収容部の下方に、採血管移送手段及びラベル印字・貼付手段を配置すると共に、採血管回収部をラベル印字・貼付手段の下方に配置することにより、採血管収容部、ラベル印字・貼付手段及び採血管回収部を効率よくコンパクトに配置できるようになり、装置が全体として小型化するという効果を奏する。
また、各採血管収容部の内側部分に、採血管を縦にして収容可能な目印用採血管収容部を設けることにより、各採血管収容部に収容されている採血管の種類をより一層、使用者に見易くすることができるようになる。
さらにまた、前記各部を適当なハウジング内に収容すると共に、前記ラベル印字・貼付手段を、そのラベル印字貼付位置の少なくとも台紙から剥離されるラベルの進行方向に面する側面が開放されるように構成し、前記ハウジングにおけるラベル印字貼付位置の開放された側面に対応する部分にラベル取出用開口を設け、ラベル貼付位置に採血管がない時に、印字済みのラベルを剥離した状態で前記ラベル取出用開口から排出するように構成することにより、採血管収容部に収容されている採血管とは異なる種類の採血管が必要な場合でも印字されたラベルが剥離された状態で排出されるようになるので、手貼り作業が簡単になるという効果を奏する。
【図面の簡単な説明】
【図１】  本発明に係る採血管準備装置の概略斜視図である。
【図２】  図１における右側から装置の内部構造を見た概略側面図である。
【図３】  図２における概略Ａ−Ａ断面図である。
【図４】  図１における前方から装置の内部構造をみた概略正面図である。
【図５】  図１における下方から装置の内部構造をみた概略底面図である。
【図６】  加圧ローラが待機位置Ｘ１にある状態を示すラベル貼付位置Ｘ２の周辺の概略拡大図である。
【図７】  加圧ローラがラベル貼付位置Ｘ２にある状態を示すラベル貼付位置Ｘ２の周辺の概略拡大図である。
【図８】  加圧ローラが排出位置Ｘ３にある状態を示すラベル貼付位置Ｘ２の周辺の概略拡大図である。
【図９】  加圧ローラがラベル排出位置Ｘ４にある状態を示すラベル貼付位置Ｘ２の周辺の概略拡大図である。
【符号の説明】
Ｘ１  待機位置
Ｘ２  ラベル貼付位置
Ｘ３  排出位置
Ｘ４  ラベル排出位置
Ｓ１  管検出センサー
Ｓ２  管検出センサー
Ｓ３  管到着センサー
１  ハウジング
２  供給部前面カバー
３  凹部
４  ラベル取出用の開口
１０（ａ〜ｄ）  採血管収容部
１１  ベルト回転軸（下側）
１２  ベルト回転軸（上側）
１３  無端ベルト
１４  従動ギヤ
１５  駆動ギヤ
１６  供給部モータ
１７  仕切板
１８  区画
１９  外周壁
２０  採血管移送手段
２１  無端ベルト
２２  ベルト回転軸（右側）
２３  ベルト回転軸（左側）
２４  管搬送モータ
２５  仕切板
２６  管移送ガイド
２７  管移送板
２８  管移送ガイドレール
２９  管移送モータ
３０  ラベル印字・貼付手段
３１  プラテンローラ
３２ａ  駆動ローラ
３２ｂ  駆動ローラ
３３  ラベル付き台紙ロール
３４  印字ヘッド
３５  剥離板
３６  貼付ローラ
３７  採血管押え兼採血管排出手段
３７ａ  固定ローラ
３７ｂ  待機台
３７ｃ  加圧ローラ
３７ｄ  加圧台
３７ｅ  ガイドレール
４０  採血管回収部
５０  目印用採血管収容部
【図１】
0004746764.tif 000002
【図２】
0004746764.tif 000003
【図３】
0004746764.tif 000004
【図４】
0004746764.tif 000005
【図５】
0004746764.tif 000006
【図６】
0004746764.tif 000007
【図７】
0004746764.tif 000008
【図８】
0004746764.tif 000009
【図９】
0004746764.tif 000010